(57)【特許請求の範囲】
【請求項１】
運針輪列と、解放されると接触する接点と、前記運針輪列により駆動され且つ目安時刻に対応して１２時間に１回前記接点を解放する時目安カム車と、該目安カム車を目安時刻に作動させる時目安セット車と、を有するムーブメントと、
該ムーブメントより突出する前記運針輪列の軸部により駆動され、目安時刻に対応して１時間に１回前記接点を解放する分目安カム車を含む分目安輪列と、
前記分目安カム車を目安時刻に作動させる分目安セット車を含み、該分目安セット車を回転させると共に前記ムーブメントより突出する前記時目安セット車の軸部を回転させて目安時刻を設定する目安設定輪列と、
該目安設定輪列により駆動される分目安表示車と、
該分目安表示車により駆動される時目安表示車と、
を有することを特徴とするデジタル目安機構。
【請求項２】
前記分目安カム車は、前記ムーブメント内に突出して前記接点に係合し、該接点を非接触状態にすると共に作動時に前記接点を解放する突出部を有することを特徴とする請求項１記載のデジタル目安機構。
【請求項３】
前記分目安輪列は、前記運針輪列の軸部に取り付けられた日の裏伝え車と、
該日の裏伝え車に噛合し、前記時目安セット車の軸部に遊嵌する時伝え車と、
該時伝え車に噛合する中間車と、
該中間車に噛合する前記分目安カム車と、
を含むことを特徴とする請求項１記載のデジタル目安機構。
【発明の詳細な説明】
【０００１】
【発明の属する技術分野】
本発明は、アラーム報知を行う目安時刻をデジタル表示するデジタル目安機構に関するものであり、特に、目覚まし機能を持ったムーブメントに、１時間に１回目安カムが作動する機構と目安時刻をデジタル表示する機構を設置することにより、目安時刻をデジタル表示すると共に正確にその時刻にアラーム報知を行うことを可能にしたものに関する。
【０００２】
【従来の技術】
一般に、時計構造においては、組立や取り扱いを容易にするため、運針機構だけでなく、目安時刻を設定し且つその目安時刻になると接点を接触させて信号を出力する目安機構もムーブメントの中に収めている。また、この種のムーブメントにおいても、製造コストの削減のため、部品や構造の共通化が進められており、汎用性を高めることが必要とされている。このように、現在のムーブメントには、付加機構を収めながら汎用性を高めることが求められていた。
【０００３】
しかしながら、ムーブメントには多くの機構が収められると共に、その構造も複雑であるため、共通化を図ることは容易ではなかった。
【０００４】
そこで、実開平４−１０９３９６号公報や実開平６−７４９９２号公報に示されているように、汎用型のムーブメントの外側に付加機構部分を取り付けて、部品の共通化を図ることが案出されている。
【０００５】
【発明が解決しようとする課題】
ところが、目安時刻をデジタル表示し、その表示を見ながら目安時刻を設定するデジタル目安機能を有するムーブメントの場合、より多くの部品で複雑に構成されているため、汎用型のムーブメントの外側にデジタル目安機構部分を取り付けるにしても、構造が複雑で大型になるという問題があった。
【０００６】
また、デジタル目安機構の場合、単に目安時刻をデジタル表示するだけでなく、そのデジタル表示に見合った目安精度の向上を図ることも必要であり、構造を簡素化することを更に困難にしていた。
【０００７】
本発明は、上記従来技術の課題に鑑みなされたもので、汎用型のムーブメントの外側に目安表示をデジタル化するための構造を取り付けると共にムーブメント内の構造をムーブメントの外側の構造と一部共用することにより、部品を共通化しながら目安時刻の表示をデジタル化すると共に目安精度を向上させ更に部品点数の削減も可能にしたデジタル目安機構を提供するものである。
【０００８】
【課題を解決するための手段】
本発明のデジタル目安機構は、解放されると接触する接点と、目安時刻に対応して１２時間に１回前記接点を解放する時目安機構と、を有するムーブメントと、該ムーブメントにより駆動され、目安時刻に対応して１時間に１回前記接点を解放する分目安機構と、目安時刻をデジタル表示するデジタル表示機構と、有する目安デジタル化機構と、を有している。
【０００９】
また、このデジタル目安機構は、より具体的には、運針輪列と、解放されると接触する接点と、前記運針輪列により駆動され且つ目安時刻に対応して１２時間に１回前記接点を解放する時目安カム車と、該目安カム車を目安時刻に作動させる時目安セット車と、を有するムーブメントと、該ムーブメントより突出する前記運針輪列の軸部により駆動され、目安時刻に対応して１時間に１回前記接点を解放する分目安カム車を含む分目安輪列と、前記分目安カム車を目安時刻に作動させる分目安セット車を含み、該分目安セット車を回転させると共に前記ムーブメントより突出する前記時目安セット車の軸部を回転させて目安時刻を設定する目安設定輪列と、該目安設定輪列により駆動される分目安表示車と、該分目安表示車により駆動される時目安表示車と、を有している。また、このデジタル目安機構における前記分目安カム車は、前記ムーブメント内に突出して前記接点に係合し、該接点を非接触状態にすると共に作動時に前記接点を解放する突出部を有している。また、このデジタル目安機構における前記分目安輪列は、前記運針輪列の軸部に取り付けられた日の裏伝え車と、該日の裏伝え車に噛合し、前記時目安セット車の軸部に遊嵌する時伝え車と、該時伝え車に噛合する中間車と、該中間車に噛合する前記分目安カム車と、を含むものとなっている。
【００１０】
【発明の実施の形態】
本発明のデジタル目安機構においては、目覚し機能を有する汎用型のムーブメントに目安デジタル化機構を取り付けるものとなっている。このムーブメントには、解放されると接触する接点と、目安時刻に対応して１２時間に１回接点を解放する時目安機構が設けられている。この時目安機構は、時目安セット車を目安時刻に応じて回転位置決めすると、運針輪列により駆動されて回転する時目安カム車が設定された位置で軸方向に落ち込むように作動し、接点を解放するものとなっている。
【００１１】
また、目安デジタル化機構は、ムーブメントの外側に取り付けられるものであり、目安時刻に対応して１時間に１回接点を解放する分目安機構と、目安時刻をデジタル表示するデジタル表示機構を有している。この分目安機構は、ムーブメントから突出させた日の裏車の軸部により駆動される分目安輪列の分目安カム車が１時間で１回転し、目安時刻に応じて位置決めされた分目安セット車の設定位置で軸方向に落ち込むように作動し、接点を解放するものとなっている。上述したように、時目安カム車は１２時間で１回転し、分目安カム車は１時間で１回転する。このため、時目安カム車を作動させて目安時刻付近で接点を解放し、これに続いて分目安カム車を作動させて接点を解放する。これにより、接点は完全に解放されて接触することになる。このように、より高速で回転する分目安カム車により最終的に接点を解放して接触させることにより、デジタル表示に見合った目安精度に向上させることができる。
【００１２】
また、デジタル表示機構は、互いに噛合する分目安表示車と時目安表示車からなり、分目安機構における目安設定輪列により駆動され、分目安セット車と時目安セット車を回転させて位置決めする際に駆動されて回転するものとなっている。
【００１３】
【実施例】
以下、図面に基いて本発明の実施例を説明する。図１は本発明の一実施例に係るデジタル目安機構における接点が開状態となっているときの要部を示す断面図、図２は図１に示すデジタル目安機構における接点が閉状態となっているときの要部を示す断面図、図３は図１に示す分目安機構とデジタル表示機構の透視正面図、図４乃至図６は図１に示す目安デジタル化機構を取り付けたムーブメントを示す正面図、側面図及び背面図である。
【００１４】
２は目覚し機能を有する汎用型のムーブメントであり、そのケース４内に、運針輪列と時目安機構と接点が収められている。運針輪列は、ステップモータのロータ（図示せず）、５番車（図示せず）、秒針車６、３番車８、分針車１０、日の裏車１２、時針車１４が順に噛合することにより形成されている。
【００１５】
また、本実施例における時目安機構は、時目安セット車１６、時目安カム車１８、目安レバー２０で構成されている。時目安セット車１６は、時針車１４の軸部１４ａに回動自在に支持されており、後述する目安デジタル化機構側にある目安設定輪列にその歯車部１６ａが噛合し、設定される目安時刻に応じて回転され位置決めされる。時目安カム車１８は、時針車１４の軸部１４ａの根元付近に回転方向に係合し且つ軸方向に移動可能に支持されている。この時目安カム車１８と時目安セット車１６は、時目安カム車１８のカム面が時目安セット車１６の端面に当接するように同軸上に配置され、時目安カム車１８が時針車１４と共に１２時間で１回転する間に１回カムの作用によって軸方向へ急速に移動する（図１中下方へ落ち込む）ように作動する。目安レバー２０は、時目安カム車１８に係合し、その軸方向への移動をレバーの作用で増大させて、接点を開閉するものとなっている（図２）。尚、図１及び図２において、目安レバー２０は、作図上途中で分割されているように図示しているが、端部まで一体の構造を有している。
【００１６】
また、本実施例における接点は、回路基板２２上に一端が固定され他端が解放されているアゲバネからなる可動接点２４と、回路基板２２上に固定された固定接点２６とから構成されている。この可動接点２４と固定接点２６は、可動接点２４が目安レバー２０等に係合していない解放された状態において可動接点２４のバネ性により接触するように構成されている（図２）。
【００１７】
一方、２８はケース４の正面外側に設けられた目安デジタル化機構である。この目安デジタル化機構２８は、分目安機構とデジタル表示機構を有している。この分目安機構は、分目安輪列と目安設定輪列を含んでいる。分目安輪列は、日の裏伝え車３０、時伝え車３２、中間車３４、分目安カム車３６が順に噛合することにより形成されている。日の裏伝え車３０は、ケース４から前方に突出する日の裏車１２の軸部１２ａに取り付けられており、日の裏車１２の回転を伝えるものとなっている。また、時伝え車３２は、時目安セット車１６の軸部１６ｂの外周に遊嵌されており、日の裏伝え車３０の回転方向を変えるものとなっている。また、この時伝え車３２は、軸部１６ｂを中心軸として回転するように構成されているため、輪列を配置するスペースを小さくまとめることを可能にすると共に、リング状の簡易形状で構成することができるものとなっている。中間車３４は、時伝え車３２の回転を分目安カム車３６に伝達するために設けられている。更に、分目安カム車３６は、軸方向（図１中上下方向）に移動可能な状態で支持されている。この分目安カム車３６の軸部３６ａは、ケース４の孔４ａからムーブメント２内に突出し、通常、目安レバー２０を押し上げるように係合しており、１時間で１回転する間に１回カム面の作用で軸方向に移動し（図１中下方に落ち込み）、可動接点２４を解放するものとなっている（図２）。
【００１８】
また、目安設定輪列は、分目安カム車３６のカム面が端面に接触するように同軸上に配置された分目安セット車３８と、この分目安セット車３８及び時目安セット車１６の歯車部１６ａに噛合する第１中間車４０と、順次噛合して回転を伝える第２及び第３中間車４２、４４と、この第３中間車４４に噛合し且つ外部操作可能な目安合せカナ４６と、から構成されている。この目安設定輪列においては、目安合せカナ４６を回すことにより、第２及び第３中間車４２，４４を介して第１中間車４０が回転し、この第１中間車４０から分目安セット車３８と時目安セット車１６に回転が伝わる。これにより分目安セット車３８と時目安セット車１６はそれぞれ回転し、設定される目安時刻に応じた状態に位置決めされるものとなっている。
【００１９】
尚、図１及び図２において第１中間車４０は作図上２ヵ所に図示しているが、これは単一の歯車である。また、上記分目安輪列と目安設定輪列は、ムーブメント２のケース４の正面と支持板４７により支持される構造となっている。
【００２０】
また、デジタル表示機構は、分目安表示車４８と時目安表示車５０を含んでいる。この分目安表示車４８は、図３に示すように、支持板４７の正面等に設けられた軸部５２に回動自在に支持されており、表面に目安時刻の分桁を示す分表示４８ａが設けられている。また、この分目安表示車４８の中心部には、支持板４７側に設けられたＵ形状のバネ部５４に係合するラチェット４８ｂと第３中間車４４に噛合する歯車部４８ｃが設けられており、外周部には時目安表時車５０を所定角度だけ間欠的に回転させる送り歯部４８ｄと時目安表示車５０との位置合せをするための凹欠部４８ｅが設けられている。
【００２１】
また、時目安表示車５０は、支持板４８の正面等に設けられた軸部５６に回動自在に支持されており、表面に目安時刻の時桁を示す時表示５０ａが設けられている。また、この時目安表示車５０の外周部には、分目安表示車４８の送り歯部４８ｄにより間欠的に送られる歯車部５０ｂと分目安表示車４８の凹欠部４８ｅに係合して位置合せするための突出部５０ｃが設けられている。
【００２２】
次に、上記構成からなるデジタル目安機構の動作を説明する。はじめに、目安合せカナ４６を回して目安時刻をセットする。目安合せカナ４６を回すと、第１乃至第３中間車４０，４２，４４を介して分目安セット車３８と時目安セット車１６が回転する。この分目安セット車３８と時目安セット車１６には、図３に示す分目安セット車３８のように、その端面に凹部及び切欠部が設けられており、設定する目安時刻に対応して位置決めするように設定されている。
【００２３】
また、このときに、第３中間車４４の回転により分目安表示車４８が回転し、この分目安表示車４８が１回転するとその送り歯部４８ｄにより時目安表示車５０が１／１２回転する。これにより、設定された目安時刻の時桁と分桁を図３の中央部分に示すようにその時表示５０ａと分表示４８ａで表示することができる。
【００２４】
尚、上記のように目安時刻を設定したときには、時目安カム車１８と分目安カム車３６は共にそのカム作用によって図１に示すように軸方向上方に位置した状態に保たれており、これによって可動接点２４が押し上げられて非接触状態になっている。
【００２５】
その後、目安時刻が近付くと、時針車１４と共に回転する時目安カム車１８がそのカム作用によって時目安セット車１６の方向（図１中の軸方向下方）へ落ち込んで移動する。これにより、時目安カム車１８に係合する目安レバー２０が図１中下方に移動し、可動接点２４を解放しようとするが、このときに、分目安カム車３６はまだ作動していないため、目安レバー２０は分目安カム車３６により押し上げられた状態に保たれて、可動接点２４は非接触状態を保持する。
【００２６】
ここで目安時刻になると、今度は、分目安カム車３６がそのカム作用によって分目安セット車３８の方向（図１中の軸方向下方）へ落ち込み、目安レバー２０が下方へ移動する（図２）。これにより可動接点２４は完全に解放され、そのバネ力によって固定接点２６に接触する（図２）。
【００２７】
上記のように、１２時間に１回作動する時目安カム車１８が作動して先に可動接点２４を解放し、次に１時間に１回作動する分目安カム車３６が作動して可動接点２４を解放することで接点を接触させている。これにより、設定された目安時刻の時分に対応して精度良く可動接点２４を固定接点２６に接触させることができる。
【００２８】
【発明の効果】
本発明によれば、汎用型のムーブメントに目安デジタル化機構を取り付けるだけで、目安時刻をデジタル表示するムーブメントにすることができる。このように汎用型のムーブメントをほぼそのまま利用することができるので、ほとんどの部品を共通化することができる。
【００２９】
また、汎用型ムーブメント内の接点を、そのムーブメント内の時目安機構と目安デジタル化機構内の分目安機構の両方で作動させているので、追加する機構部分に接点を設ける等必要以上に部品点数を増やすことなく目安精度を向上させることができる。
【００３０】
また、分目安機構における時伝え車を時目安セット車の軸部で回動自在に支持しており、また、目安設定機構で分目安セット車と時目安セット車を共に回転させてセットしているので、分目安機構と目安設定機構をコンパクトにまとめることができ、目安デジタル化機構を簡素で小型にすることができる。このため、この目安デジタル化機構を取り付けたムーブメントの構造が複雑になることがなく、外形も小型にすることができる。
【図面の簡単な説明】
【図１】本発明の一実施例に係るデジタル目安機構における接点が開状態の要部を示す断面図である。
【図２】図１に示すデジタル目安機構における接点が閉状態の要部を示す断面図である。
【図３】図１に示す分目安機構とデジタル表示機構の透視正面図である。
【図４】図１に示す目安デジタル化機構を取り付けたムーブメントを示す正面図である。
【図５】図１に示す目安デジタル化機構を取り付けたムーブメントを示す側面図である。
【図６】図１に示す目安デジタル化機構を取り付けたムーブメントを示す背面図である。
【符号の説明】
２              ムーブメント
４              ケース
６              秒針車
１０            分針車
１２            日の裏車
１４            時針車
１６            時目安セット車
１８            時目安カム車
２０            目安レバー
２４            可動接点
２６            固定接点
２８            目安デジタル化機構
３０            日の裏伝え車
３２            時伝え車
３４            中間車
３６            分目安カム車
３８            分目安セット車
４０            第１中間車
４２            第２中間車
４４            第３中間車
４６            目安合せカナ
４８            分目安表示車
５０            時目安表示車
【図１】
0003706032.tif 000002
【図２】
0003706032.tif 000003
【図３】
0003706032.tif 000004
【図４】
0003706032.tif 000005
【図５】
0003706032.tif 000006
【図６】
0003706032.tif 000007